(57)【要約】【課題】携帯通信機器にＩＣカードを汚損や破損を生じることなく容易に挿抜する。【解決手段】ＵＳＩＭカードなどのＩＣカード１を内蔵するＩＣカードケース１０において、蓋１１の内面には第１のラック１４が設けられている。該第１のラック１４にはピニオン１５が噛合し、該ピニオン１５には、ＩＣカード１に当接する当接部１８を有する押出部材１６に設けられた第２のラック１７が噛合している。ユーザーが蓋１１をスライドさせることにより、押出部材１６が蓋１１のスライド方向とは逆方向に移動し、ＩＣカード１がケース１０から押し出される。携帯通信機器側においては、ＩＣカードスロット内にＩＣカード１の一部が挿入されたことを検出すると、ローラーにより携帯通信機器内に搬送する。【選択図】  図２
2004287942.tif 000002
【特許請求の範囲】
【請求項１】
ＩＣカードを収納するＩＣカードケースであって、
内部に第１のラックが設けられた蓋部材と、
前記第１のラックに噛合するピニオンと、
前記ピニオンと噛合する第２のラックを有するとともに、前記ＩＣカードに当接する当接部を有する押出部材とを有し、
前記蓋部材をスライドさせることにより、前記ＩＣカードを押し出すことができるように構成されていることを特徴とするＩＣカードケース。
【請求項２】
ＩＣカードを装着することができる携帯通信機器であって、
その筐体の側面に設けられたＩＣカードスロットと、
該ＩＣカードスロットの内側に設けられ、前記ＩＣカードの接点と接続するＩＣカード用コネクタと、
前記ＩＣカードの位置を検出するセンサーと、
前記ＩＣカードを搬送する搬送手段と、
前記センサーによりＩＣカードの一部分が前記ＩＣカードスロット内に挿入されたことを検出したとき、前記搬送手段により前記ＩＣカードを所定の位置まで搬送し、ＩＣカードを取り外す場合に、前記搬送手段を逆方向に駆動して、前記ＩＣカードを前記ＩＣカードスロットから排出するように制御する制御部と
を有することを特徴とする携帯通信機器。
【請求項３】
前記ＩＣカード用コネクタは昇降自在とされており、前記ＩＣカードの搬送が行われているときには下降され、前記ＩＣカードが所定の位置に設置されたときに、上昇されて前記ＩＣカードの接点と接続されるようになされていることを特徴とする請求項２記載の携帯通信機器。
【発明の詳細な説明】
【０００１】
【発明の属する技術分野】
本発明は、ＳＩＭカードやＵＳＩＭカードなどのＩＣカードを収納することができるＩＣカードケースと、ＩＣカードを装着することができる携帯電話などの携帯通信機器に関する。
【０００２】
【従来の技術】
デジタル携帯電話の欧州統一規格であるＧＳＭ方式の携帯電話機においては、加入者識別用としてＳＩＭ（Ｓｕｂｓｃｒｉｂｅｒ  Ｉｄｅｎｔｉｔｙ  Ｍｏｄｕｌｅ）カードが用いられている。また、第３世代携帯電話方式（Ｗ−ＣＤＭＡ方式）では、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを入れ換えることでさまざまな携帯電話機を使用することができる。
このようなＳＩＭカードやＵＳＩＭカードなどのＩＣカードは、薄く曲がりやすいうえにＩＣ接点が汚損すると使用することができなくなるという問題点がある。
そこで、このようなＩＣカードを用いる携帯電話機において、ＩＣカードの着脱を容易にすることができるとともに、その着脱時にＩＣカードを破損しないようにすることができる携帯電話機が提案されている（特許文献１）。
【０００３】
特許文献１では、（１）電話機リアケース側面から組み込まれ、電話機回路基板にＩＣカードを電気的に接続するターミナル端子を有し、開口部が形成された凹形状のハウジングと、該ハウジングの開口部を介して挿抜され、この挿抜時に前記ハウジングへの係止／解放手段を備えた取手部及び前記ＩＣカードの嵌合凹部を有し、前記ＩＣカードと概略相似形状のカードホルダーとを具備する携帯電話機、及び、（２）電話機回路基板にＩＣカードを電気的に接続するターミナル端子を備えた板状のカードコネクタを、前記電話機回路基板と電話機リアケースとの間に、前記電話機リアケースの電池搭載面に設けられた開口部から覗く状態で挟み、前記ＩＣカードを、前記電話機リアケースのターミナル端子上に前記開口部を介して載置した後、電池を嵌合することで前記ＩＣカードを固定する構造とされた携帯電話機が提案されている。
ここで、（１）の携帯電話機は、ＩＣカードを装着する場合は、カードホルダーの嵌合凹部にＩＣカードを嵌合した後、取手部をもってカードホルダーをハウジングの開口部から挿入すれば、係止／解放手段がハウジングに係止し、取り外す場合は、取手部の操作で係止／解放手段をハウジングから解放した後、カードホルダーを抜き取るというものである。
また、（２）の携帯電話機は、ＩＣカードを、電話機リアケースのターミナル端子上に、電話機リアケースの開口部を介して載置した後、電池を嵌合することでＩＣカードが固定され、電池を取り外すことでＩＣカードを取り外すことができるというものである。
これにより、全体の小型化を図ることができ、ＩＣカードの着脱を容易にすることができるとともに、その着脱時にＩＣカードを破損しないようにすることができる。
【０００４】
【特許文献１】
特開平１１−２６６２９３号公報
【０００５】
【発明が解決しようとする課題】
上述のように、ＵＳＩＭカードなどのＩＣカードは薄く曲がりやすいうえにＩＣ接点が汚損すると、使用できなくなるという問題点がある。また、３Ｇ携帯電話機はＵＳＩＭカードをセットする部分が電池下部にあり、抜き差しする場合、手指でＵＳＩＭカードをつまんで使用するため、指による汚損、差し込みミスによる損傷、不用意な落下などのおそれがある。
また、上記特許文献１において提案されている携帯電話機によれば、ＩＣカードの差し込みミスによる損傷やＩＣカードの不用意な落下などを防止することができる。
しかしながら、上述したものにおいては、ＩＣカードを着脱するときに、ＩＣカードに手で直接触れることとなり、ＩＣカード接点の汚損の原因となる場合がある。
【０００６】
そこで本発明は、ＩＣカードの汚損を防止するとともに、携帯通信機器への抜き差しを容易に行うことを可能とするＩＣカードケース及び携帯通信機器を提供することを目的としている。
【０００７】
【課題を解決するための手段】
上記目的を達成するために、本発明のＩＣカードケースは、ＩＣカードを収納するＩＣカードケースであって、内部に第１のラックが設けられた蓋部材と、前記第１のラックに噛合するピニオンと、前記ピニオンと噛合する第２のラックを有するとともに、前記ＩＣカードに当接する当接部を有する押出部材とを有し、前記蓋部材をスライドさせることにより、前記ＩＣカードを押し出すことができるように構成されているものである。
【０００８】
また、本発明の携帯通信機器は、ＩＣカードを装着することができる携帯通信機器であって、その筐体の側面に設けられたＩＣカードスロットと、該ＩＣカードスロットの内側に設けられ、前記ＩＣカードの接点と接続するＩＣカード用コネクタと、前記ＩＣカードの位置を検出するセンサーと、前記ＩＣカードを搬送する搬送手段と、前記センサーによりＩＣカードの一部分が前記ＩＣカードスロット内に挿入されたことを検出したとき、前記搬送手段により前記ＩＣカードを所定の位置まで搬送し、ＩＣカードを取り外す場合に、前記搬送手段を逆方向に駆動して、前記ＩＣカードを前記ＩＣカードスロットから排出するように制御する制御部とを有するものである。
さらに、前記ＩＣカード用コネクタは昇降自在とされており、前記ＩＣカードの搬送が行われているときには下降され、前記ＩＣカードが所定の位置に設置されたときに、上昇されて前記ＩＣカードの接点と接続されるようになされているものである。
【０００９】
【発明の実施の形態】
本発明は、ＳＩＭカードやＵＳＩＭカードに限られることなく、薄型で曲がりやすいＩＣチップ内蔵カードに適用することができるが、以下では、ＵＳＩＭカードを携帯電話機に挿抜する場合を例にとって説明する。
図１は、本発明のＩＣカードケース内にＵＳＩＭカードが入っている様子を示す図であり、（ａ）は上面図、（ｂ）は正面図、（ｃ）は側面図である。
この図において、１はＵＳＩＭカード（ＩＣカード）、２はＩＣカードの接点部、１０はＩＣカードケースである。また、３はＩＣカード１をカードケース１０から押し出すカード押出部であり、このカード押出部３により、ＩＣカード１をカードケース１０の前方４から外部に押し出して図示しない携帯電話機に挿入し、装着することができる。また、逆に、後述する本発明の携帯電話機から押し出されたＩＣカード１をカードケース１０内に取り込むことができる。このように、本発明においてはＩＣカード１はＩＣカードケース１０内に入れられており、カード押出部３により、ユーザーがＩＣカード１に直接触れることなく、ＩＣカード１を携帯電話機に取り付けたり、携帯電話機１から取り外されたＩＣカード１をＩＣカードケース１０内に収納することができる。
【００１０】
このような本発明のＩＣカードケース１０の一実施の形態について図２を参照して説明する。
図２の（ａ）は、本発明のＩＣカードケース１０の一実施の形態の構成を示す断面図、（ｂ）は本発明のＩＣカードケース１０における蓋１１と該蓋１１にヒンジ１３を介して接続されている側面部材１２のみをＩＣカードケース１０の内側からみた図、（ｃ）は（ａ）に示すＩＣカードケース１０の内部を蓋１１及び側面部材１２を取り除いた状態で上からみた図である。また、（ｄ）は（ａ）に示すＩＣカードケース１０に内蔵されているＩＣカード１を押し出すときの動作について説明するための図である。
図２に示すＩＣカードケース１０は、その上面に蓋１１を有しており、該蓋１１はヒンジ１３を介してＩＣカード１が押し出される側の側面部材１２に結合されている。そして、該蓋１１の下部（ケース内面側）には第１のラック１４が設けられている。該第１のラック１４はピニオン１５に噛合されており、該ピニオン１５は前記ＩＣカード１を押し出すときにＩＣカード１に当接する当接部１８を有する押出部材１６に設けられた第２のラック１７と噛合している。また、前記ＩＣカード１はその左右に設けられた２つのレール１９により指示されている。
【００１１】
このように構成されたＩＣカードケース１０において、図２の（ｄ）に示すように、ユーザーが前記蓋１１を前記ＩＣカードが押し出される方向とは逆の方向（図中右方向）にずらす。これにより、前記蓋１１の右方向への移動により、側面部材１２も移動させられ、ＩＣカードケース１０のＩＣカード１が押し出される面（図中左側の側面）が解放される。また、前記第１のラック１４が図中右方向に移動することにより、前記ピニオン１５が回動して、前記第２のラック１７が設けられている押出部材１６が図中左方向に移動させられる。その結果、前記当接部１８により前記ＩＣカード１が図中左方向に押し出されることとなる。
このように、本発明のＩＣカードケース１０によれば、ユーザーがＩＣカード１に直接触れることなくＩＣカード１をＩＣカードケース１０から外部に押し出すことができる。
【００１２】
図３は、ＩＣカード１が装着される携帯電話機の一例を示す図であり、（ａ）は携帯電話機の外観を示す図、（ｂ）はＩＣカード１を挿抜するために携帯電話機に前記カードケース１０を当てている様子を示す図である。この図に示す携帯電話機（携帯通信機器）２０は、ＩＣカード１を取り込むＩＣカードスロット２１がその側面に設けられており、その内部にＩＣカード用コネクタが設けられている。また、２２は、該ＩＣカードスロット２１を覆う蓋部材であり、解放すると、図示するように、ＩＣカードケース１０を前記ＩＣカードスロット２１に対して所定の角度で保持するためのケースストッパーとなるようになされている。
【００１３】
図４は、前記携帯通信機器２０における前記ＩＣカードスロット２１の内部の構成を示す斜視図である。
この図に示すように、ＩＣカードスロット２１の内側には、前記ＩＣカード１の接点２と電気的に接触するＩＣカード用コネクタ２３、図示しないモーターにより駆動され、前記ＩＣカード１を把持して移動させる複数組のローラー２４、前記ＩＣカード１の位置を検出するための第１のセンサー２５及び第２のセンサー２６が設けられている。ここで、前記第１のセンサー２５は、前記ＩＣカードスロット２１の近傍に配置されており、ＩＣカードの先端部がＩＣカードスロットに近いローラー２４に把持される位置にあることを検出するものである。また、前記第２のセンサー２６は、前記ＩＣカード１の接点２の位置が前記ＩＣカード用コネクタ２３の接点と対応する位置となったことを検出することができるように前記ＩＣカード用コネクタ２３よりも奥の所定の位置に配置されている。なお、このセンサー２５及び２６としては、ＩＣカード１の位置を検出する機能を有するものであればよく、光センサー、圧力センサーなどを使用することができる。例えば、各センサー２５，２６は、前記ＩＣカード１の移動方向にそって配列された２つの光センサーから構成されている。
また、この図においては、５対のローラー２４がＩＣカード用コネクタ２３の周囲に配置されている様子を示しているが、この数は任意に設定することができる。なお、前記ＩＣカード１を搬送するために、この実施の形態では、５組のローラーを設けているが、これに限られることなく、他の搬送手段を採用することもできる。
さらに、前記ＩＣカード用コネクタ２３は、モーターやソレノイド等により昇降自在とされており、ＩＣカード１が搬送されているときは下降した状態とし、ＩＣカード１が所定の位置に設置されたときに上昇して、ＩＣカード１の接点２と接触するようになされているのが望ましい。
【００１４】
上述のＩＣカードケース１０に内蔵されているＩＣカード１を上述した携帯通信機器に挿抜するときの動作について、前記図４とともに図５を参照して説明する。図５において、（ａ）はＩＣカード１を携帯通信機器２０に挿入するときの動作を上から見た様子を示す上面図であり、（ｂ）は横からみた様子を示す断面図である。なお、ここで、説明する動作は、携帯電話機に内蔵され、該携帯電話機全体の制御を行うマイクロコンピュータなどからなる制御部の制御により行われる。
ＩＣカード１を携帯通信機器２０に挿入するときは、携帯通信機器２０側においては、ＩＣカード１の挿入動作を行う旨のコマンドをキー操作部などを用いて入力する。これにより、前記ＩＣカード用コネクタ２３は下降した状態とされる。そして、前記図２の（ｄ）に示したように、ＩＣカードケース１０の蓋１１を前記ＩＣカードスロット２１のある方向とは逆方向にスライドさせ、前記図３の（ｂ）に示したように、ＩＣカード１が内蔵されているＩＣカードケース１０の側面を携帯通信機器２０のＩＣカードスロット２１に当てる。このとき、前記蓋部材２２により位置決めがなされる。これにより、前述のように、ＩＣカード１がＩＣカードケース１０から押し出されて、その先端部が前記ＩＣカードスロット２１から携帯通信機器２０の内部に入り込む。
【００１５】
ＩＣカード１の先端が、最もＩＣカードスロット２１に近い位置に配置されているローラー２４により、把持される位置（図５（ａ）におけるＡ）に達したとき、前記第１のセンサー２５によりそのことが検出され、図示しないモーターが駆動されて、前記複数組のローラー２４がＩＣカード１を携帯通信機器２０内に引き込むような回転方向に回転される。これ以降は、ローラー２４の回転により、ＩＣカード１は自動的に携帯通信機器２０内に引き込まれることとなる。そして、前記第２のセンサー２６により、ＩＣカード１の先端部が所定の位置（図５（ａ）のＢの位置）に達したことが検出されると、この検出信号により、前記モーターが停止される。これにより、ＩＣカード１をＩＣカード用コネクタ２３に対応する所定の位置に取り込むことができた。そして、前記ＩＣカード用コネクタ２３を上昇させ、前記ＩＣカード１の接点部２と接触させる。
【００１６】
一方、ＩＣカード１を取り外すときは、前記取り外したＩＣカード１を収納するＩＣカードケース１０を前記ＩＣカードスロット２１に当てて、携帯通信機器２０のキー入力部からＩＣカード１の取り外しを指示するコマンドを入力する。このとき、前記ＩＣカードケース１０の蓋１１はスライドした状態としておく。これにより、図示しないモーターが駆動され、前記ＩＣカード用コネクタ２３が下降し、前記複数組のローラー２４が前述したＩＣカードの挿入時とは逆方向に回転される。これにより、ＩＣカード１０は前記ＩＣカードスロット２１から徐々に外部に送り出され、その後端部から前記ＩＣカードケース１０に挿入される。そして、前記第１のセンサー２５により、ＩＣカード１の先端部がＩＣカードスロット２１の近傍に達したことを検知したとき、前記ローラー２４の回転数を上昇させて、ＩＣカード１を強く排出する。これにより、ＩＣカード１は前記ＩＣカードケース１０内に入るので、ユーザーはＩＣカードケース１０をはずし、側面部材１２を上に向けて前記蓋１１を前述と逆方向にスライドさせる。これにより、ＩＣカード１の自重によりＩＣカード１がＩＣカードケース１０内の所定の位置に収納される。このように、ＩＣカード１に手を触れることなく、ＩＣカード１をＩＣカードケース１０に収納することができる。
【００１７】
なお、以上の説明においては、携帯通信機器の例として、携帯電話機を例にとって説明したが、これに限られることはなく、ＳＩＭカード、ＵＳＩＭカードなどを装着することができる機器に対して全く同様に適用することができる。
【００１８】
【発明の効果】
以上説明したように、本発明のカードケースによれば、ＵＳＩＭカードの汚損や破損による動作不良を防止することができるとともに、抜き差し操作の簡易化を図ることができる。
また、ＩＣカードをカードケースに収納した状態で保管することができるので、ＩＣカードの紛失や汚れを防止することができる。
さらに、ＩＣカード用コネクタをＩＣカードの搬送時に下降させるようにしたので、ＩＣカードの搬送中にＩＣカードが傷つけられることがない。
【図面の簡単な説明】
【図１】本発明のＩＣカードケースについて説明するための図である。
【図２】本発明のＩＣカードケースの一実施の形態の構成を示す図である。
【図３】本発明の携帯通信機器の一実施の形態について説明するための図である。
【図４】本発明の携帯通信機器に内蔵されているＩＣカードコネクタ部分について説明するための図である。
【図５】本発明の携帯通信機器にＩＣカードが挿入されるときの動作について説明するための図である。
【符号の説明】
１：ＩＣカード（ＵＳＩＭカード）、２：ＩＣカード接点、３：カード押出部、１０：ＩＣカードケース、１１：蓋、１２：側面部材、１３：ヒンジ、１４：第１のラック、１５：ピニオン、１６：押出部材、１７：第２のラック、１８：当接部、１９：レール、２０：携帯通信機器、２１：ＩＣカードスロット、２２：ＩＣカードスロットの蓋部材、２３：ＩＣカード用コネクタ、２４：ローラー、２５，２６：センサー
【図１】
2004287942.tif 000003
【図２】
2004287942.tif 000004
【図３】
2004287942.tif 000005
【図４】
2004287942.tif 000006
【図５】
2004287942.tif 000007